(57)【要約】【課題】  収納する小物の量に応じてできるだけコンパクトな状態で携行できると共に、これらの小物を起立姿勢で保持・収納できる小物収納ケースを提供する。【解決手段】  小物収納ケース１は、筆記具等の小物２を収納するために一端側に開口部３を有し、第１シート面４及び第２シート面５を有して袋状に形成されたケース本体６と、ケース本体６に設けられ、開口部３を開閉する線ファスナー７と、ケース本体６に設けられ、所定の外力を付与することにより変形し、開口部３の側から視たケース本体６の平面視形状を、第１シート面４を内方側にしてほぼ直線状からほぼ環状に変化させると共に、所定の外力を付与することによりケース本体６の平面視形状をほぼ環状からほぼ直線状に復帰させる芯材８と、第１シート面４の端縁部４ｂ同士を仮止めする面ファスナー９と、第１シート面４に設けられ、環状となったケース本体６の底部に配置される底板１０と、を備える。【選択図】  図１
0003201978.tif 000002
【実用新案登録請求の範囲】
【請求項１】
筆記具等の小物を収納するために一端側に開口部を有し、第１シート面及び第２シート面を有して袋状に形成されたケース本体と、
前記ケース本体に設けられ、前記開口部を開閉する開閉部材と、
前記ケース本体に設けられ、所定の外力を付与することにより変形し、前記開口部の側から視た当該ケース本体の平面視形状を、前記第１シート面を内方側にしてほぼ直線状からほぼ環状に変化させると共に、所定の外力を付与することにより当該ケース本体の前記平面視形状を前記ほぼ環状から前記ほぼ直線状に復帰させる芯材と、
前記第１シート面に設けられ、当該第１シート面の長手方向におけるほぼ中央部を、前記開口部が開く側に引き出すと共に、当該第１シート面における前記開口部の側の端縁部同士を、環状となった前記ケース本体の周方向端部同士に近接するように位置させた状態で着脱自在に仮止めする仮止め部材と、
前記第１シート面に設けられ、環状となった前記ケース本体の底部に配置される底板と、
を備えることを特徴とする小物収納ケース。
【請求項２】
前記第１シート面の長手方向におけるほぼ中央部を、前記開口部が開く側に引き出すと共に、当該第１シート面における当該開口部の側の端縁部同士を前記仮止め部材によって仮止めし、仮止めされた当該端縁部同士の一部を、環状となった前記ケース本体の周方向端部同士の間から露出させて構成した持ち手部を備えることを特徴とする請求項１に記載の小物収納ケース。
【請求項３】
前記芯材は、前記ケース本体の下部に配置されていることを特徴とする請求項１又は２に記載の小物収納ケース。
【請求項４】
前記第１シート面と前記第２シート面との間に設けられ、前記ケース本体の内部を区画する仕切り部材を１又は２以上備えることを特徴とする請求項１から請求項３のいずれか一つに記載の小物収納ケース。
【請求項５】
前記第１シート面と前記第２シート面のうち少なくとも当該第２シート面を透明の素材により構成すると共に、当該第２シート面と前記仕切り部材との間に、文字、画像等の所定の情報を表示した表示シートを配置する表示シート配置空間部を備えることを特徴とする請求項４に記載の小物収納ケース。
【請求項６】
前記ケース本体の内部に設けられ、当該ケース本体の前記開口部と同一の側に開口する開口部を有し液体を貯留可能な袋体を備えることを特徴とする請求項１から請求項５のいずれか一つに記載の小物収納ケース。
【考案の詳細な説明】
【技術分野】
【０００１】
本考案は、筆記具、眼鏡、化粧品や化粧道具等の小物を収納できると共に、これらの小物を起立姿勢で保持・収納できる小物収納ケースに関するものである。
【背景技術】
【０００２】
従来より、ペン立てとしても使用できる筆記具ケースが提供されている（例えば、特許文献１、特許文献２参照）。例えば、特許文献１に係る従来の筆記具ケースは、内部に収納空間を有する所定長さのケース本体と、このケース本体の長手方向一端側に形成された出し入れ口を開閉可能とする開閉手段とを備え、ケース本体は、少なくとも二つのケース形成体の組み合わせからなり、これらケース形成体は、ケース本体の長さを変化する方向に相対移動可能に設けられている。また、ケース本体は、出し入れ口の反対側を設置部として自立可能な形状に設けられている。ケース本体は、所定面積の底面部をケース本体の底部に備えている。
【０００３】
また、特許文献２に係る従来の筆記具ケースは、内部に収納空間を有する所定長さのケース本体と、このケース本体の幅方向一端側に設けられて当該ケース本体を開閉可能とする開閉手段とを備え、ケース本体は、開閉手段を閉位置にしたときに強制的な折り曲げ力を受けて折れ曲がる一方、開閉手段を開位置にしたときに所定角度開くように構成されている。また、ケース本体は、開閉手段を開位置にしたときに起立可能に設けられている。ケース本体は、所定面積の底シートをケース本体の底部に備えている。
【０００４】
このように構成された特許文献１及び２に係る従来の筆記具ケースは、ケース本体の開閉手段を開き操作したときに、ケース本体が開いて筆記具を取り出し易くするとともに、直ちにペン立てとして利用できる、としている。
【先行技術文献】
【特許文献】
【０００５】
【特許文献１】特開２００２−３２０５１２号公報
【特許文献２】特開２００２−３２０５１３号公報
【考案の概要】
【考案が解決しようとする課題】
【０００６】
しかし、上記特許文献１及び２に係る従来の筆記具ケースは、所定面積の底面部や底シートをケース本体の底部に備えており、これらによってケース本体を予め有底袋状に形成し、ケース本体の内部に筆記具の収納空間を確保すると共に、起立可能にするための設置面として機能するようになっている。そのため、収納する筆記具の多少にかかわらず、ケース本体が常に所定の内容積を有しており、鞄等に入れて携行する際に鞄内で場所を取ってしまう、という課題があった。
そのため、収納物の量に応じてできるだけコンパクトな状態で携行できる収納ケースの提供が望まれていた。
また、筆記具のみならず、眼鏡、化粧品や化粧道具等の小物を収納できると共に、これらの小物を起立姿勢で保持・収納できる小物収納ケースの提供が望まれていた。
【０００７】
本考案は、収納する小物の量に応じてできるだけコンパクトな状態で携行できると共に、これらの小物を起立姿勢で保持・収納できる小物収納ケースを提供することを目的とする。
【課題を解決するための手段】
【０００８】
本考案の小物収納ケースは、筆記具等の小物を収納するために一端側に開口部を有し、第１シート面及び第２シート面を有して袋状に形成されたケース本体と、前記ケース本体に設けられ、前記開口部を開閉する開閉部材と、前記ケース本体に設けられ、所定の外力を付与することにより変形し、前記開口部の側から視た当該ケース本体の平面視形状を、前記第１シート面を内方側にしてほぼ直線状からほぼ環状に変化させると共に、所定の外力を付与することにより当該ケース本体の前記平面視形状を前記ほぼ環状から前記ほぼ直線状に復帰させる芯材と、前記第１シート面に設けられ、当該第１シート面の長手方向におけるほぼ中央部を、前記開口部が開く側に引き出すと共に、当該第１シート面における前記開口部の側の端縁部同士を、環状となった前記ケース本体の周方向端部同士に近接するように位置させた状態で着脱自在に仮止めする仮止め部材と、前記第１シート面に設けられ、環状となった前記ケース本体の底部に配置される底板と、を備えることを特徴とする。
【０００９】
また、本考案の小物収納ケースは、前記考案において、前記第１シート面の長手方向におけるほぼ中央部を、前記開口部が開く側に引き出すと共に、当該第１シート面における当該開口部の側の端縁部同士を前記仮止め部材によって仮止めし、仮止めされた当該端縁部同士の一部を、環状となった前記ケース本体の周方向端部同士の間から露出させて構成した持ち手部を備えることを特徴とする。
【００１０】
また、本考案の小物収納ケースは、前記考案において、前記芯材は、前記ケース本体の下部に配置されていることを特徴とする。
【００１１】
また、本考案の小物収納ケースは、前記考案において、前記第１シート面と前記第２シート面との間に設けられ、前記ケース本体の内部を区画する仕切り部材を１又は２以上備えることを特徴とする。
【００１２】
また、本考案の小物収納ケースは、前記考案において、前記第１シート面と前記第２シート面のうち少なくとも当該第２シート面を透明の素材により構成すると共に、当該第２シート面と前記仕切り部材との間に、文字、画像等の所定の情報を表示した表示シートを配置する表示シート配置空間部を備えることを特徴とする。
【００１３】
また、本考案の小物収納ケースは、前記考案において、前記ケース本体の内部に設けられ、当該ケース本体の前記開口部と同一の側に開口する開口部を有し液体を貯留可能な袋体を備えることを特徴とする。
【考案の効果】
【００１４】
本考案によれば、収納する小物の量に応じてできるだけコンパクトな状態で携行できると共に、これらの小物を起立姿勢で保持・収納できる小物収納ケースを提供することができる。
【図面の簡単な説明】
【００１５】
【図１】本考案の実施の形態に係る小物収納ケース１を示す斜視図である。
【図２】小物収納ケース１を示す正面図である。
【図３】小物収納ケース１を示す背面図である。
【図４】環状とする前の小物収納ケース１を示す平面図である。
【図５】小物収納ケース１の持ち手部１２を示す側面図である。
【図６】環状とした小物収納ケース１を示す平面図である。
【図７】小物収納ケース１の別の実施例を示す説明図である。
【考案を実施するための形態】
【００１６】
以下、本考案の実施の形態に係る小物収納ケース１について図１〜図６を参照しながら詳細に説明する。図１は、本考案の実施の形態に係る小物収納ケース１を示す斜視図である。図２は、小物収納ケース１を示す正面図である。図３は、小物収納ケース１を示す背面図である。図４は、環状とする前の小物収納ケース１を示す平面図である。図５は、小物収納ケース１の持ち手部１２を示す側面図である。図６は、環状とした小物収納ケース１を示す平面図である。
【００１７】
小物収納ケース１は、筆記具、眼鏡、化粧品や化粧道具、洗顔道具等の小物２を収納すると共に、これらの小物２を起立姿勢でも保持・収納できるように構成したものである。以下の説明においては、小物２として筆記具を例にして説明する。
図１〜図６に示すように、小物収納ケース１は、筆記具等の小物２を収納するために一端側に開口部３を有し、第１シート面４及び第２シート面５を有して袋状に形成されたケース本体６と、ケース本体６に設けられ、開口部３を開閉する開閉部材としての線ファスナー７と、ケース本体６に設けられ、ケース本体６の平面視形状をほぼ直線状及びほぼ環状に規定する芯材８と、第１シート面４の端縁部４ｂ同士を仮止めする仮止め部材としての面ファスナー９と、第１シート面４に設けられ、環状となったケース本体６の底部に配置される底板１０と、を備える。
【００１８】
ケース本体６の第１シート面４及び第２シート面５は、例えば、透明の塩化ビニール製シートなど、透明の素材により構成されている。また、第１シート面４は、強度アップの観点から、補強メッシュ入りの透明シートを用いることができる。
これら第１シート面４及び第２シート面５の接合は、どのような手段で行われてもよく、例えば、バイアステープで縫い合わせたり、袋縫い、接着剤による接着、熱溶着等の手段を用いることができる。
【００１９】
線ファスナー７は、スライダー７ａをスライドさせることによって開閉自在に構成されており、周知の汎用品を用いることができる。線ファスナー７は、樹脂製、金属製を問わないが、軽量化の観点から樹脂製が好ましい。
【００２０】
芯材８は、ケース本体６の下部に設けられ、所定の外力を付与することにより変形し、開口部３の側から視たケース本体６の平面視形状を、第１シート面４を内方側にしてほぼ直線状（図２〜４参照）からほぼ環状（図１、図５及び図６参照）に変化させると共に、所定の外力を付与することによりケース本体６の平面視形状をほぼ環状からほぼ直線状に復帰させる部材である。この芯材８には、板バネを用いており、後述する仕切り部材１３に内蔵させてある。
【００２１】
面ファスナー９は、第１シート面４に設けられ、第１シート面４の長手方向におけるほぼ中央部４ａを、開口部３が開く側に引き出すと共に、第１シート面４における開口部３の側の端縁部４ｂ同士を、前記環状となったケース本体６の周方向端部６ａ同士に近接するように位置させた状態で着脱自在に仮止めするものである。その際に、第１シート面４は、折り返し部４ｃ（図１、図５及び図６参照）において折り返されている。
【００２２】
底板１０は、厚みのある透明の樹脂製シート（例えば、透明の塩化ビニール製シート）によりほぼ円形に形成され、第１シート面４の長手方向のほぼ中央部に接着等により設けられている（図参照）。
【００２３】
また、小物収納ケース１は、第１シート面４の長手方向におけるほぼ中央部４ａを、開口部３が開く側に引き出すと共に、第１シート面４における開口部３の側の端縁部４ｂ同士を面ファスナー９によって仮止めし、仮止めされた端縁部４ｂ同士の一部を、環状となったケース本体６の周方向端部６ａ同士の間から露出させて構成した持ち手部１２を備える。
【００２４】
また、小物収納ケース１は、第１シート面４と第２シート面５との間に設けられ、ケース本体６の内部を２つに区画するシート状の仕切り部材１３を備える。
【００２５】
また、小物収納ケース１は、第２シート面と仕切り部材１３との間に、文字、写真画像、絵画、スケジュール表、カレンダー、メモ書き等の所定の情報を表示した表示シート（図示せず）を配置する表示シート配置空間部１５を備える。
【００２６】
次に、小物収納ケース１の使用方法を図１〜図６を参照しながら説明する。小物収納ケース１を通常の筆入れとして使用する場合には、図２〜図４に示すように、ケース本体６の平面視形状をほぼ直線状にしたコンパクトな状態で、ケース本体６内に筆記具等の小物２を入れて携行することができる。
つまり、小物収納ケース１を上記通常の筆入れとして使用する場合や小物２を収納していない状態においては、小物収納ケース１の厚みが薄いため、バインダー等に入れて携行することもでき、また、鞄等に入れても場所を取らない。すなわち、収納する小物２の量に応じてできるだけコンパクトな状態で携行できる。
【００２７】
また、図１、図５及び図６に示すように、小物収納ケース１は、筒状に組み立てられ、ペン立てとして使用することもできる。この場合、小物収納ケース１の組み立ては、次のように行うことができる。
すなわち、線ファスナー７を全開にし、芯材８に所定の外力を付与することにより変形させ、ケース本体６を平面視形状がほぼ環状となるようにする。その際、第１シート面４の長手方向におけるほぼ中央部４ａを摘まんで、開口部３が開く側に引き出すと共に（図２及び図４参照）、第１シート面４における開口部３の側の端縁部４ｂ同士を、環状となったケース本体６の周方向端部６ａ同士に近接するように位置させた状態で面ファスナー９によって仮止めする。このとき、第１シート面４は、折り返し部４ｃ（図１、図５及び図６参照）において折り返す。これにより、環状となったケース本体６の底部に底板１０が配置される。また、上記仮止めによって、持ち手部１２が形成され、小物収納ケース１を持ち易くなる。
【００２８】
また、小物収納ケース１の表示シート配置空間部１５に、文字、画像等の所定の情報を表示した表示シート（図示せず）を配置することができる。これにより、小物収納ケース１を机上等に起立姿勢で置いた際に、所定の情報を表示し易くできると共に、写真や絵画等を表示することができ、インテリア性を高めることができる。
【００２９】
以上に説明した実施の形態に係る小物収納ケース１によれば、以下に示す各効果が奏される。実施の形態に係る小物収納ケース１は、筆記具等の小物２を収納するために一端側に開口部３を有し、第１シート面４及び第２シート面５を有して袋状に形成されたケース本体６と、ケース本体６に設けられ、開口部３を開閉する開閉部材としての線ファスナー７と、ケース本体６に設けられ、所定の外力を付与することにより変形し、開口部３の側から視たケース本体６の平面視形状を、第１シート面４を内方側にしてほぼ直線状からほぼ環状に変化させると共に、所定の外力を付与することによりケース本体６の平面視形状をほぼ環状からほぼ直線状に復帰させる芯材８と、第１シート面４の端縁部４ｂ同士を仮止めする仮止め部材としての面ファスナー９と、第１シート面４に設けられ、環状となったケース本体６の底部に配置される底板１０と、を備える。
そのため、収納する小物２の量に応じてできるだけコンパクトな状態で携行できると共に、これらの小物２を起立姿勢で保持・収納できる。
【００３０】
また、小物収納ケース１は、持ち手部１２を備える。そのため、小物収納ケース１を持ち易くなり、使い勝手を向上することができる。
【００３１】
また、芯材８は、ケース本体６の下部に配置されている。そのため、本体ケース６の重心位置が低くなり、小物２を起立状態で収納した際の安定感を良くすることができる。
【００３２】
また、小物収納ケース１は、第１シート面４と第２シート面５との間に設けられ、ケース本体６の内部を２つに区画するシート状の仕切り部材１３を備える。そのため、小物２を分類して収納でき、使い勝手を良くすることができる。
【００３３】
また、第１シート面４及び第２シート面５を透明の素材により構成すると共に、第２シート面５と仕切り部材１３との間に、文字、画像等の所定の情報を表示した表示シート（図示せず）を配置する表示シート配置空間部１５を備える。そのため、小物収納ケース１を机上等に起立姿勢で置いた際に、所定の情報を表示し易くできると共に、写真や絵画等を表示することでインテリア性をも高めることができる。
【００３４】
以上、本考案の一実施形態について説明したが、本考案は、前述した実施の形態に制限されるものではなく、適宜変更が可能である。例えば、前記実施の形態に係る小物収納ケース１においては、ケース本体６（第１シート面４と第２シート面５）の素材として、透明の塩化ビニール製シートを用いるものとして説明したが、これに限定されない。例えば、透明な素材でなくてもよく、また、合皮、皮、布、紙、プラスチック等の素材であってもよい。
【００３５】
また、芯材８として、板バネを用いるものとして説明したが、これに限定されず、上記機能を有するものであれば、板バネの他、塑性変形可能なワイヤー部材、塩化ビニール樹脂製の板材若しくは線材など、いずれのものであってもよい。また、ケース本体６の平面視形状をほぼ直線状及びほぼ環状に規定することができれば、第２シート面５をそのような塑性変形可能な素材により構成してもよい。
また、芯材８をケース本体６の下部に配置するものとして説明したが、これに限定されず、上部及び下部、上部のみ、あるいはその他の位置に設けてもよい。
また、芯材８を仕切り部材１３に内蔵させるものとして説明したが、これに限定されず、第２シート面に内蔵若しくは外付けによって設けてもよい。
【００３６】
また、前記実施の形態においては、第１シート面４の端縁部４ｂ同士を仮止めする仮止め部材として、面ファスナー９を例にして説明したが、これに限定されず、同様の機能を有するものであれば、例えば、マグネットホック、ボタン、スナップファスナー、磁石、紐などであってもよい。
また、線ファスナー７におけるスライダー７ａの穴７ｂに係合可能なフック部材（図示せず）を、対向する端部６ａに設けて両者を係合することにより、ケース本体６の端部６ａ同士を仮止めしてもよい。
【００３７】
また、前記実施の形態においては、ケース本体６の内部を２つに区画するシート状の仕切り部材１３を１つ備えるものとして説明したが、これに限定されず、２つ以上備えることにより、ケース本体６の内部を３つ以上に区画するようにしてもよい。
【００３８】
更に、小物収納ケース１は、図１及び図６において想像線で示すように、ケース本体６の内部に設けられ、ケース本体６の開口部３と同一の側に開口する開口部２０ａを有し液体を貯留可能な袋体２０を備えて構成してもよい。
これにより、小物収納ケース１を、必要に応じて、コップ、食器、花瓶等として代用することができる。
【００３９】
また、図７に示すように、上記仮止め部材は、本体ケース６の上縁端部６ｃの近傍に短冊状のバンド３０を設け、このバンド３０の一端を上縁端部６ｃの近傍の一方側に設け、バンド３０の他端及び上縁端部６ｃの近傍の他方側にスナップボタン３１を設けた構造としても良い。これにより、本体ケース６を筒状態でしっかり保持できるようになる。
【符号の説明】
【００４０】
１  小物収納ケース
２  小物
３  開口部
４  第１シート面
４ａ  中央部
４ｂ  端縁部
５  第２シート面
６  ケース本体
６ａ  端部
７  線ファスナー（開閉部材）
８  芯材
９  面ファスナー（仮止め部材）
１０  底板
１２  持ち手部
１３  仕切り部材
１５  表示シート配置空間部
２０  袋体
【図１】
0003201978.tif 000003
【図２】
0003201978.tif 000004
【図３】
0003201978.tif 000005
【図４】
0003201978.tif 000006
【図５】
0003201978.tif 000007
【図６】
0003201978.tif 000008
【図７】
0003201978.tif 000009